(57)【要約】【課題】信頼性を向上させた、動的ＩＰアドレスを利用したインターネット経由の通信を行う設備遠隔監視システムを提供する。【解決手段】インターネット４およびアナログ電話回線網３を備え、監視装置が、監視を行うために設備の運転状態情報、映像情報および通話情報を収集し要求に応じて情報センタに伝送する監視制御手段１１と、インターネットおよびアナログ電話回線網を介した情報センタとの通信の制御を行う通信制御手段１２と、インターネットおよびアナログ電話回線網を介して通信を行うためのＡＤＳＬモデム２と、インターネット側から割り当てられるＡＤＳＬモデムの動的ＩＰアドレスの変更の有無を定期的にチェックし、変更された場合にインターネット又はアナログ電話回線網を介して情報センタに変更された動的ＩＰアドレスを通知するＩＰアドレス変更通知手段１５〜１７と、備えた。【選択図】図１
2006290523.tif 000002
【特許請求の範囲】
【請求項１】
各設備に設けられた監視装置が通信網を介して情報センタとの間で通信を行い設備の遠隔監視を行う設備遠隔監視システムにおいて、
上記通信網がインターネットおよびアナログ電話回線網を備え、
上記監視装置が、
監視を行うために設備の運転状態情報、映像情報および通話情報を収集し要求に応じて情報センタに伝送する監視制御手段と、
上記インターネットおよびアナログ電話回線網を介した上記情報センタとの通信の制御を行う通信制御手段と、
上記インターネットおよびアナログ電話回線網を介して通信を行うためのＡＤＳＬモデムと、
インターネット側から割り当てられる上記ＡＤＳＬモデムのＩＰアドレスの変更の有無を定期的にチェックし、変更された場合に上記インターネット又はアナログ電話回線網を介して上記情報センタに変更されたＩＰアドレスを通知するＩＰアドレス変更通知手段と、
を備えたことを特徴とする設備遠隔監視システム。
【請求項２】
上記通信制御手段が、設備の映像情報を上記インターネット、通話情報を上記アナログ電話回線網を介してそれぞれ伝送することを特徴とする請求項１に記載の設備遠隔監視システム。
【請求項３】
上記設備がエレベータからなり、上記映像情報および通話情報がエレベータのかご内からの情報であることを特徴とする請求項１または２に記載の設備遠隔監視システム。
【発明の詳細な説明】
【技術分野】
【０００１】
この発明は、動的ＩＰアドレスを用いながら、エレベータ等の設備の点検、故障対応を遠隔地から行うための設備遠隔監視システムに関する。
【背景技術】
【０００２】
近年、例えばエレベータのかご内映像等を用いた新しい遠隔監視サービスにより、設備と情報センタ間の通信データ量が増加してきた。このような状況において、既存の電話回線では通信速度が遅いため、現在一般的に普及しているＡＤＳＬ回線を使用してインターネット経由でデータ通信を行うことが提案されている。
【０００３】
このようなインターネット経由でデータ通信を行う遠隔監視システムでは、設備側ではインターネット側から動的に割り当てられる安価な動的ＩＰアドレスを使用する。しかしながら、動的ＩＰアドレスは、ＡＤＳＬモデムの電源が遮断されたりプロバイダのサーバがダウンしたこと等により、インターネットとの接続が切れた場合、その後、復旧して再度インターネットに接続したときに、新たに動的ＩＰアドレスが割り当てられるため、システムを統轄する情報センタ側では設備側のＩＰアドレスが不明なため、インターネット経由で設備側にアクセスすることができない。
【０００４】
そこでインターネットを使用した遠隔監視システムにおいて、監視対象側のＩＰアドレスとして動的ＩＰアドレスを使用し、割り当てられた動的ＩＰアドレスを本部サーバ側に通知するものがある(例えば特許文献１参照)。
【０００５】
【特許文献１】特開２００３−１９９０８７号公報
【発明の開示】
【発明が解決しようとする課題】
【０００６】
このような従来の遠隔監視システムでは、インターネットを介した１つの通信系統しか備えておらず、インターネットを介した通信がダウンした場合には、全ての通信ができなくなるという問題があった。
【０００７】
この発明は上記の課題を解消するためになされたもので、動的ＩＰアドレスを利用したインターネット経由の通信を行う監視システムにおいて、インターネットを介した通信がダウンした場合においても、最小限の通信を可能にした設備遠隔監視システムを提供することを目的とする。
【課題を解決するための手段】
【０００８】
この発明は、各設備に設けられた監視装置が通信網を介して情報センタとの間で通信を行い設備の遠隔監視を行う設備遠隔監視システムにおいて、上記通信網がインターネットおよびアナログ電話回線網を備え、上記監視装置が、監視を行うために設備の運転状態情報、映像情報および通話情報を収集し要求に応じて情報センタに伝送する監視制御手段と、上記インターネットおよびアナログ電話回線網を介した上記情報センタとの通信の制御を行う通信制御手段と、上記インターネットおよびアナログ電話回線網を介して通信を行うためのＡＤＳＬモデムと、インターネット側から割り当てられる上記ＡＤＳＬモデムのＩＰアドレスの変更の有無を定期的にチェックし、変更された場合に上記インターネット又はアナログ電話回線網を介して上記情報センタに変更されたＩＰアドレスを通知するＩＰアドレス変更通知手段と、備えたことを特徴とする設備遠隔監視システムにある。
【発明の効果】
【０００９】
この発明では、動的ＩＰアドレスを使用したインターネットと、アナログ電話回線との２系統の通信網を使用して、アナログ電話回線網経由で直接話をしながら、インターネット経由で設備の映像が採取でき、いずれか一方の通信がダウンしても他方の情報を得ることができ、信頼性のより高いシステムを提供できる。
【発明を実施するための最良の形態】
【００１０】
実施の形態１．
図１はこの発明の一実施の形態による設備遠隔監視システムの構成を示すブロック図である。また以下では、監視対象設備がエレベータの場合を例に挙げて説明する。図１において、監視装置１は例えばエレベータ(図示せず)の監視を行うもので、エレベータの運転制御を行う制御盤２１、情報センタ６等との通話を行う通話部２２(例えばエレベータのかご内に設けられた通話器)、エレベータのかご内等の映像を撮るためのＴＶカメラ２３が接続され、これらからエレベータの運転状態や、現場からの通話(例えばエレベータかご内からの通話)、エレベータかご内の映像等の情報を得て、情報センタ６にこれらの情報を伝送したり、これらの情報に基づく故障や異常の通報を行う。そして監視装置１において、監視制御部１１は、制御盤２１、通話部２２、ＴＶカメラ２３が接続されて上述の情報の収集や、これらに基づく故障、異常の判定等、エレベータの監視制御を行う。通信制御部１２は、情報センタ６との通信を制御するもので、アナログ電話回線インターフェース(Ｉ／Ｆ)１３とＬＡＮＩ／Ｆ１４はそれぞれインターフェースである。
【００１１】
ＩＰアドレス採取部１５は、所定の間隔で定期的にＡＤＳＬモデム２から動的ＩＰアドレス(以下”動的”を省略する場合あり)の採取を行う。ＩＰアドレス比較部１６は、ＩＰアドレス採取部１５が採取したＩＰアドレスと記憶部１７に記録された前回採取したＩＰアドレスを比較して、ＩＰアドレスが変更された場合には記憶部１７の書き換えを行うと共に、情報センタ６に変更されたＩＰアドレスを通知する。記憶部１７は変更されたＩＰアドレスを更新しながら格納する。
【００１２】
ＡＤＳＬモデム２は、監視装置１と情報センタ６との間でアナログ電話回線網３またはインターネット４経由で通信を行うためのモデムである。そしてＡＤＳＬモデム２への動的ＩＰアドレスは、インターネット４側からプロバイダサーバ５より割り当てられる。なお、図１には監視装置１は１つしか示されていないが、実際には情報センタ６に対して多数の監視装置１がアナログ電話回線網３およびインターネット４を介して通信を行う。
【００１３】
なお、監視制御部１１が監視制御手段を構成し、通信制御部１２が通信制御手段を構成し、ＩＰアドレス採取部１５、ＩＰアドレス比較部１６、記憶部１７がＩＰアドレス変更通知手段を構成する。
【００１４】
次に動作について説明する。このように構成された設備遠隔監視システムは、ＡＤＳＬモデム２がインターネット４に接続する際、プロバイダサーバ５から動的ＩＰアドレスを割り付けられ、常時接続している間は、動的ＩＰアドレスが変わることはない。しかし、停電等によりＡＤＳＬモデム２の電源が遮断されたり、通信線切れたり、プロバイダサーバ５がダウンした等によりインターネットとの接続が切れた場合、その後、復旧して再度インターネット４に接続した際、新たに動的ＩＰアドレスが割り当てられる。
【００１５】
そこでＩＰアドレス採取部１５は、所定の間隔で定期的にＡＤＳＬモデム２のＩＰアドレスを採取する。そして記憶部１７に記録した前回採取したＩＰアドレスと今回採取したＩＰアドレスがＩＰアドレス比較部１６で比較され、前回と今回のＩＰアドレスが異なる場合は、通信制御部１２にその旨を通知し、情報センタ６に変更されたＩＰアドレスを通知させる。また、比較終了後は、今回採取したＩＰアドレスを記憶部１７に記録する。
【００１６】
通信制御部１２は、比較部１６からＩＰアドレスが変化したことの通知を受けると、アナログ電話回線網３経由またはインターネット４経由にて情報センタ６へ、内蔵されている該監視装置を示す監視装置番号、当該現場を示す監視対象設備番号および建物番号のいずれかと割り当てられたＩＰアドレスを通知する。情報センタ６は、受信した監視装置番号、監視対象設備番号又は建物番号とＩＰアドレスを記憶部(図示省略)に記憶する。
【００１７】
このように、監視装置１がＡＤＳＬモデム２のＩＰアドレスを監視(採取)して、ＩＰアドレスの変更を情報センタ６へ通知するので、遠隔点検や障害対応時に情報センタ６からインターネット４経由で監視装置１にアクセスして情報の伝送を要求することで、大量のデータを短時間で採取することが可能となる。すなわち監視装置１の監視制御部１１は情報センタ６から情報提供の要求のアクセスがあると、この要求に応じて制御盤２１、通話部２２、ＴＶカメラ２３から得られる上述の情報の提供を行う。
【００１８】
また例えば、情報センタ６においてエレベータ側からアナログ電話回線網３経由でエレベータの故障を受信した時、情報センタ６では例えばアナログ電話回線網３経由でエレベータ側の通話部２２と直接話しをしながら、インターネット４経由でエレベータ側のＴＶカメラ２３で撮った例えばかご内映像を取得することができる。これは例えば、通話部２２による通話とＴＶカメラ２３で撮られた映像情報の伝送が同時にある場合に、通信制御部１２において、通話部２２による通話をアナログ電話回線網３経由で、ＴＶカメラ２３で撮られた映像情報をインターネット４経由で伝送するようにする。これにより、いずれか一方の通信がダウンしても他方の通信による情報は確保できる。
【００１９】
なお、ＡＤＳＬモデム２は図２に示すように、監視装置１内に設けられていてもよい。また上記説明では監視対象設備がエレベータの場合を例に挙げて説明したが、この発明はこれに限定されるものではく、エスカレータ、空調機、冷熱機等の他の種類の監視対象設備について同様に実施可能である。
【図面の簡単な説明】
【００２０】
【図１】この発明の一実施の形態による設備遠隔監視システムの構成を示すブロック図である。
【図２】この発明による設備遠隔監視システムの監視装置の別の構成を示すブロック図である。
【符号の説明】
【００２１】
１  監視装置、２  ＡＤＳＬモデム、３  アナログ電話回線網、４  インターネット、５  プロバイダサーバ、６  情報センタ、１１監視制御部、１２  通信制御部、１３  アナログ電話回線Ｉ／Ｆ、１４  ＬＡＮＩ／Ｆ、１５  ＩＰアドレス採取部、１６  ＩＰアドレス比較部、１７  記憶部、２１  制御盤、２２  通話部、２３  ＴＶカメラ。
【図１】
2006290523.tif 000003
【図２】
2006290523.tif 000004